(57)【特許請求の範囲】
【請求項１】
本体部と、前記本体部内に配置され、長手方向を有する光源部と、を備える照明装置を、長手方向を壁部の延在方向に沿わせた状態で設置する照明装置の設置構造であって、
前記壁部は、一方向に延在する第１の壁部と、当該第１の壁部に連設され、前記一方向と交差する交差方向に延在する第２の壁部と、を備え、
１つ以上の前記照明装置を、長手方向を前記第１の壁部の延在方向に沿わせた状態で設置することで、前記一方向に延在する照明装置部を形成し、
前記照明装置部には、前記一方向と交差する方向に延在して、前記照明装置部からの光が前記一方向に照射されるのを抑制するルーバーが形成されており、
前記ルーバーは、前記照明装置部における前記第２の壁部側の端部に設けられる最端ルーバーを有し、
前記照明装置部の前記一方向に沿って設けられる複数のルーバーでルーバー部が形成されており、
前記ルーバー部の中で前記最端ルーバーの突出長さが最も長いことを特徴とする照明装置の設置構造。
【請求項２】
前記ルーバー部は、前記最端ルーバーから前記第２の壁部側とは反対側に向かうにつれて突出長さが徐々に短くなる漸減部を有することを特徴とする請求項１に記載の照明装置の設置構造。
【請求項３】
本体部と、前記本体部内に配置され、長手方向を有する光源部と、を備える照明装置を、長手方向を壁部の延在方向に沿わせた状態で設置する照明装置の設置構造であって、
前記壁部は、一方向に延在する第１の壁部と、当該第１の壁部に連設され、前記一方向と交差する交差方向に延在する第２の壁部と、を備え、
１つ以上の前記照明装置を、長手方向を前記第１の壁部の延在方向に沿わせた状態で設置することで、前記一方向に延在する照明装置部を形成し、
前記照明装置部には、前記一方向と交差する方向に延在して、前記照明装置部からの光が前記一方向に照射されるのを抑制するルーバーが形成されており、
前記ルーバーは、前記照明装置部における前記第２の壁部側の端部に設けられる最端ルーバーを有し、
前記照明装置部の前記一方向に沿って設けられる複数のルーバーでルーバー部が形成されており、
前記ルーバー部の中で前記最端ルーバーと当該最端ルーバーの隣に配置されるルーバーとの間隔が最も狭くなっていることを特徴とする照明装置の設置構造。
【請求項４】
前記ルーバー部は、前記一方向で隣り合うルーバーの間隔が、前記最端ルーバーと当該最端ルーバーの隣に配置されるルーバーとの間隔よりも大きくなる広ピッチ部を有することを特徴とする請求項３に記載の照明装置の設置構造。
【請求項５】
本体部と、前記本体部内に配置され、長手方向を有する光源部と、を備える照明装置を、長手方向を壁部の延在方向に沿わせた状態で設置する照明装置の設置構造であって、
前記壁部は、一方向に延在する第１の壁部と、当該第１の壁部に連設され、前記一方向と交差する交差方向に延在する第２の壁部と、を備え、
１つ以上の前記照明装置を、長手方向を前記第１の壁部の延在方向に沿わせた状態で設置することで、前記一方向に延在する照明装置部を形成し、
前記照明装置部には、前記一方向と交差する方向に延在して、前記照明装置部からの光が前記一方向に照射されるのを抑制するルーバーが形成されており、
前記ルーバーは、前記照明装置部における前記第２の壁部側の端部に設けられる最端ルーバーを有し、
前記照明装置部の前記一方向に沿って設けられる複数のルーバーでルーバー部が形成されており、
前記ルーバー部の中で前記最端ルーバーの反射率が最も小さいことを特徴とする照明装置の設置構造。
【請求項６】
本体部と、前記本体部内に配置され、長手方向を有する光源部と、を備える照明装置を、長手方向を壁部の延在方向に沿わせた状態で設置する照明装置の設置構造であって、
前記壁部は、一方向に延在する第１の壁部と、当該第１の壁部に連設され、前記一方向と交差する交差方向に延在する第２の壁部と、を備え、
１つ以上の前記照明装置を、長手方向を前記第１の壁部の延在方向に沿わせた状態で設置することで、前記一方向に延在する照明装置部を形成し、
前記照明装置部には、前記一方向と交差する方向に延在して、前記照明装置部からの光が前記一方向に照射されるのを抑制するルーバーが形成されており、
前記ルーバーは、前記照明装置部における前記第２の壁部側の端部に設けられる最端ルーバーを有し、
前記最端ルーバーの先端の輪郭形状が波形をしていることを特徴とする照明装置の設置構造。
【請求項７】
本体部と、前記本体部内に配置され、長手方向を有する光源部と、を備える照明装置を、長手方向を壁部の延在方向に沿わせた状態で設置する照明装置の設置構造であって、
前記壁部は、一方向に延在する第１の壁部と、当該第１の壁部に連設され、前記一方向と交差する交差方向に延在する第２の壁部と、を備え、
１つ以上の前記照明装置を、長手方向を前記第１の壁部の延在方向に沿わせた状態で設置することで、前記一方向に延在する照明装置部を形成し、
前記照明装置部には、前記一方向と交差する方向に延在して、前記照明装置部からの光が前記一方向に照射されるのを抑制するルーバーが形成されており、
前記ルーバーは、前記照明装置部における前記第２の壁部側の端部に設けられる最端ルーバーを有し、
１つ以上の前記照明装置を、長手方向を前記第２の壁部の延在方向に沿わせた状態で設置することで、前記交差方向に延在する第２の照明装置部を形成し、
前記第２の照明装置部には、前記交差方向と交差する方向に延在して、前記第２の照明装置部からの光が前記交差方向に照射されるのを抑制する第２の照明装置部側ルーバーが形成されており、
前記第２の照明装置部側ルーバーは、前記第２の照明装置部における前記第１の壁部側の端部に設けられる第２の照明装置部側最端ルーバーを有し、
前記第２の照明装置部の前記交差方向に沿って設けられる複数のルーバーで第２の照明装置部側ルーバー部が形成されており、
前記第２の照明装置部側ルーバー部の中で前記第２の照明装置部側最端ルーバーの突出長さが最も長いことを特徴とする照明装置の設置構造。
【請求項８】
前記第２の照明装置部側ルーバー部は、前記第２の照明装置部側最端ルーバーから前記第１の壁部側とは反対側に向かうにつれて突出長さが徐々に短くなる第２の照明装置部側漸減部を有することを特徴とする請求項７に記載の照明装置の設置構造。
【請求項９】
本体部と、前記本体部内に配置され、長手方向を有する光源部と、を備える照明装置を、長手方向を壁部の延在方向に沿わせた状態で設置する照明装置の設置構造であって、
前記壁部は、一方向に延在する第１の壁部と、当該第１の壁部に連設され、前記一方向と交差する交差方向に延在する第２の壁部と、を備え、
１つ以上の前記照明装置を、長手方向を前記第１の壁部の延在方向に沿わせた状態で設置することで、前記一方向に延在する照明装置部を形成し、
前記照明装置部には、前記一方向と交差する方向に延在して、前記照明装置部からの光が前記一方向に照射されるのを抑制するルーバーが形成されており、
前記ルーバーは、前記照明装置部における前記第２の壁部側の端部に設けられる最端ルーバーを有し、
１つ以上の前記照明装置を、長手方向を前記第２の壁部の延在方向に沿わせた状態で設置することで、前記交差方向に延在する第２の照明装置部を形成し、
前記第２の照明装置部には、前記交差方向と交差する方向に延在して、前記第２の照明装置部からの光が前記交差方向に照射されるのを抑制する第２の照明装置部側ルーバーが形成されており、
前記第２の照明装置部側ルーバーは、前記第２の照明装置部における前記第１の壁部側の端部に設けられる第２の照明装置部側最端ルーバーを有し、
前記第２の照明装置部の前記交差方向に沿って設けられる複数のルーバーで第２の照明装置部側ルーバー部が形成されており、
前記第２の照明装置部側ルーバー部の中で前記第２の照明装置部側最端ルーバーと当該第２の照明装置部側最端ルーバーの隣に配置されるルーバーとの間隔が最も狭くなっていることを特徴とする照明装置の設置構造。
【請求項１０】
前記第２の照明装置部側ルーバー部は、前記交差方向で隣り合うルーバーの間隔が、前記第２の照明装置部側最端ルーバーと当該第２の照明装置部側最端ルーバーの隣に配置されるルーバーとの間隔よりも大きくなる第２の照明装置部側広ピッチ部を有することを特徴とする請求項９に記載の照明装置の設置構造。
【請求項１１】
本体部と、前記本体部内に配置され、長手方向を有する光源部と、を備える照明装置を、長手方向を壁部の延在方向に沿わせた状態で設置する照明装置の設置構造であって、
前記壁部は、一方向に延在する第１の壁部と、当該第１の壁部に連設され、前記一方向と交差する交差方向に延在する第２の壁部と、を備え、
１つ以上の前記照明装置を、長手方向を前記第１の壁部の延在方向に沿わせた状態で設置することで、前記一方向に延在する照明装置部を形成し、
前記照明装置部には、前記一方向と交差する方向に延在して、前記照明装置部からの光が前記一方向に照射されるのを抑制するルーバーが形成されており、
前記ルーバーは、前記照明装置部における前記第２の壁部側の端部に設けられる最端ルーバーを有し、
１つ以上の前記照明装置を、長手方向を前記第２の壁部の延在方向に沿わせた状態で設置することで、前記交差方向に延在する第２の照明装置部を形成し、
前記第２の照明装置部には、前記交差方向と交差する方向に延在して、前記第２の照明装置部からの光が前記交差方向に照射されるのを抑制する第２の照明装置部側ルーバーが形成されており、
前記第２の照明装置部側ルーバーは、前記第２の照明装置部における前記第１の壁部側の端部に設けられる第２の照明装置部側最端ルーバーを有し、
前記第２の照明装置部の前記交差方向に沿って設けられる複数のルーバーで第２の照明装置部側ルーバー部が形成されており、
前記第２の照明装置部側ルーバー部の中で前記第２の照明装置部側最端ルーバーの反射率が最も小さいことを特徴とする照明装置の設置構造。
【請求項１２】
本体部と、前記本体部内に配置され、長手方向を有する光源部と、を備える照明装置を、長手方向を壁部の延在方向に沿わせた状態で設置する照明装置の設置構造であって、
前記壁部は、一方向に延在する第１の壁部と、当該第１の壁部に連設され、前記一方向と交差する交差方向に延在する第２の壁部と、を備え、
１つ以上の前記照明装置を、長手方向を前記第１の壁部の延在方向に沿わせた状態で設置することで、前記一方向に延在する照明装置部を形成し、
前記照明装置部には、前記一方向と交差する方向に延在して、前記照明装置部からの光が前記一方向に照射されるのを抑制するルーバーが形成されており、
前記ルーバーは、前記照明装置部における前記第２の壁部側の端部に設けられる最端ルーバーを有し、
１つ以上の前記照明装置を、長手方向を前記第２の壁部の延在方向に沿わせた状態で設置することで、前記交差方向に延在する第２の照明装置部を形成し、
前記第２の照明装置部には、前記交差方向と交差する方向に延在して、前記第２の照明装置部からの光が前記交差方向に照射されるのを抑制する第２の照明装置部側ルーバーが形成されており、
前記第２の照明装置部側ルーバーは、前記第２の照明装置部における前記第１の壁部側の端部に設けられる第２の照明装置部側最端ルーバーを有し、
前記第２の照明装置部側最端ルーバーの先端の輪郭形状が波形をしていることを特徴とする照明装置の設置構造。
【請求項１３】
請求項１〜１２のうちいずれか１項に記載の照明装置の設置構造で用いられる照明装置。
【請求項１４】
本体部と、前記本体部内に配置され、長手方向を有する光源部と、を備える照明装置であって、
前記照明装置は、長手方向が第１の壁部の延在方向に沿うように設置した際に、前記第１の壁部に対して交差する交差方向に延在する第２の壁部に近い側に、当該照明装置が発する光の照射を抑制するルーバーが設けられており、
前記ルーバーは、前記照明装置の前記第２の壁部から遠い側よりも前記第２の壁部に近い側において、当該照明装置が照射する光を抑制することを特徴とする照明装置。
【発明の詳細な説明】
【技術分野】
【０００１】
本開示は、照明装置および照明装置の設置構造に関する。
【背景技術】
【０００２】
従来、照明装置として、長手方向を有する光源と、光源と対向して配置され、光源から長手方向に交差する方向に照射される光を遮光する遮光板と、を備えるものが知られている（例えば、特許文献１参照）。
【０００３】
この特許文献１では、遮光板の配置位置を移動させることで、光源から長手方向に交差する方向に照射される光を２方向の双方、或いは、一方に振り分けられるようにしている。
【先行技術文献】
【特許文献】
【０００４】
【特許文献１】特開２００７−３３５１０１号公報
【発明の概要】
【発明が解決しようとする課題】
【０００５】
しかしながら、上記従来の技術では、光源からの光が長手方向に照射されるため、光源と長手方向で対向する壁面等が存在する場合には、当該壁面に照射ムラが生じてしまうおそれがある。
【０００６】
そこで、本開示は、光をより均等に長手方向に照射させることのできる照明装置および照明装置の設置構造を得ることを目的とする。
【課題を解決するための手段】
【０００７】
本開示にかかる照明装置の設置構造は、本体部と、前記本体部内に配置され、長手方向を有する光源部と、を備える照明装置を、長手方向を壁部の延在方向に沿わせた状態で設置するものである。
【０００８】
そして、前記壁部は、一方向に延在する第１の壁部と、当該第１の壁部に連設され、前記一方向と交差する交差方向に延在する第２の壁部と、を備えている。
【０００９】
また、１つ以上の前記照明装置を、長手方向を前記第１の壁部の延在方向に沿わせた状態で設置することで、前記一方向に延在する照明装置部を形成している。
【００１０】
また、前記照明装置部には、前記一方向と交差する方向に延在して、前記照明装置部からの光が前記一方向に照射されるのを抑制するルーバーが形成されている。
【００１１】
そして、前記ルーバーは、前記照明装置部における前記第２の壁部側の端部に設けられる最端ルーバーを有し、前記照明装置部の前記一方向に沿って設けられる複数のルーバーでルーバー部が形成されており、前記ルーバー部の中で前記最端ルーバーの突出長さが最も長い。
【００１２】
また、本開示にかかる照明装置は、前記照明装置の設置構造に用いられるものである。
【００１３】
また、本開示にかかる照明装置は、本体部と、前記本体部内に配置され、長手方向を有する光源部と、を備えている。
【００１４】
さらに、前記照明装置は、長手方向が第１の壁部の延在方向に沿うように設置した際に、前記第１の壁部に対して交差する交差方向に延在する第２の壁部に近い側に、当該照明装置が発する光の照射を抑制するルーバーが設けられている。
【００１５】
そして、前記ルーバーは、前記照明装置の前記第２の壁部から遠い側よりも前記第２の壁部に近い側において、当該照明装置が照射する光を抑制している。
【発明の効果】
【００１６】
本開示によれば、光をより均等に長手方向に照射させることのできる照明装置および照明装置の設置構造を得ることができる。
【図面の簡単な説明】
【００１７】
【図１】本実施形態にかかる照明装置を展示ケースに設置した状態を模式的に示す平面図である。
【図２】本実施形態にかかる照明装置を設置した展示ケースを模式的に示す側面図である。
【図３】本実施形態にかかる照明装置にルーバーを設けた状態を示す側面図である。
【図４】本実施形態にかかる照明装置に他のルーバーを設けた状態を示す側面図である。
【図５】図４の変形例を示す側面図である。
【図６】本実施形態にかかる照明装置に複数のルーバーをピッチが狭くなるように設けた状態を示す正面図である。
【図７】本実施形態にかかる照明装置に複数のルーバーをピッチが広くなるように設けた状態を示す正面図である。
【図８】本実施形態にかかる第１の照明装置部の設置構造の一例を模式的に示す側面図である。
【図９】本実施形態にかかる第２の照明装置部の設置構造の一例を模式的に示す側面図である。
【図１０】照明装置を点灯させた状態における壁面を示す図であって、（ａ）は、ルーバーを取り付けていない照明装置を点灯させた状態における壁面を示す図、（ｂ）は、ルーバーを取り付けた照明装置を点灯させた状態における壁面を示す図である。
【発明を実施するための形態】
【００１８】
以下、本実施形態にかかる照明装置について、図面を参照しながら詳細に説明する。なお、以下では、照明装置として、博物館等で用いられる展示ケースに設置される照明装置を例示するとともに、光源としてＬＥＤ光源を用いたものを例示する。
【００１９】
本実施形態にかかる照明装置７０は、図１および図２に示すように、博物館等の展示室１０に配置された展示ケース２０内に設置されるものである。
【００２０】
このように展示ケース２０内に照明装置７０を設置し、光源部７４から光Ｌを照射して、展示ケース２０内に配置された展示物３０を直接的または間接的に照らすことで、観覧者４０による展示物３０の観覧を補助している。
【００２１】
本実施形態では、展示ケース２０は、展示空間２０ａを画成するケース本体２１を備えている。
【００２２】
ケース本体２１は、天壁２２と、奥壁２３と、側壁２４と、展示空間２０ａ内を視認可能な前面パネル２５と、を備えている。さらに、ケース本体２１は、前面パネル２５の上部を遮蔽する遮蔽部２６と、前面パネル２５の下部を遮蔽する遮蔽部２７と、上面２８ａに展示物３０が載置される展示台２８と、を備えている。
【００２３】
そして、ケース本体２１の天壁２２に照明装置７０が設置されている。本実施形態では、照明装置７０は、図２に示すように、天壁２２の奥壁２３から前方に離れた位置にブラケット７６を介して固定されている。このとき、照明装置７０は、天壁２２に、光源部７４から照射される光Ｌの主光軸方向が奥壁２３側となるように固定されており、光源部７４からの光Ｌが奥壁２３の内壁面２３ａに照射されるようになっている。
【００２４】
このように、本実施形態では、照明装置として、展示ケース２０内に配置された展示物３０を間接的に照らすようにしたものを例示している。
【００２５】
また、本実施形態では、図１に示すように、奥壁（壁部）２３が、一方向（図１の上下方向）に延在する第１の壁部２３Ａと、当該第１の壁部２３Ａに連設され、一方向と交差する交差方向（図１の左右方向）に延在する第２の壁部２３Ｂと、を有している。
【００２６】
すなわち、本実施形態では、平面視で略Ｌ字状に屈曲した展示ケース２０を例示している。そして、略Ｌ字状に屈曲した奥壁２３を展示室１０の壁部の壁面（展示室１０のコーナー部）に沿わせた状態で、展示ケース２０を展示室１０内に配置している。
【００２７】
なお、奥壁２３を展示室１０の壁部の壁面に沿わせるのではなく、展示室１０の壁部を奥壁２３とすることも可能である。
【００２８】
また、上述した展示ケース２０やケース本体２１は、一例に過ぎず、展示ケースやケース本体の形状は、様々な形状とすることが可能である。例えば、直線状（立方体状や直方体状）の展示ケースとすることも可能であるし、２回屈曲させて略Ｕ字状やＪ字状とすることも可能である。
【００２９】
また、展示ケース２０は、展示室１０の壁部の壁面に沿わせる必要はなく、展示室１０の中央部に配置することも可能である。
【００３０】
照明装置７０は、図３〜図５に示すように、略直方体状をした本体部７１と、本体部７１を天壁２２に設置するためのブラケット７６と、を備えている。
【００３１】
本体部７１は、外郭を構成するハウジング７２を有しており、このハウジング７２は、例えば、アルミニウム等を含む金属材料や樹脂材料等を用いて形成することができる。
【００３２】
本実施形態では、ハウジング７２は、水平方向に細長い形状をしており、天壁２２に設置した際に下側に配置される下壁７２ａと、水平方向に細長い形状をしており、天壁２２に設置した際に天壁２２側（上側）に配置される上壁７２ｂと、を備えている。また、下壁７２ａおよび上壁７２ｂの長手方向の両側には、下壁７２ａと上壁７２ｂとを連結する側壁７２ｃがそれぞれ設けられている（図６および図７参照）。そして、下壁７２ａおよび上壁７２ｂの前端には、下壁７２ａと上壁７２ｂとを連結する前壁７２ｄが設けられており、下壁７２ａおよび上壁７２ｂの下端には、下壁７２ａと上壁７２ｂとを連結する後壁７２ｅが設けられている。
【００３３】
このように、ハウジング７２は、長手方向を有する中空の直方体状に形成されており、このハウジング７２によって画成された本体部７１の内部には、光源部７４および反射板７３が配置されている。さらに、本実施形態では、前壁７２ｄに電源部７７等の電子部品が配置されており、電源部７７等の電子部品が蓋部材７８によって前方から覆われている。なお、電源部７７等の電子部品は、ハウジング７２の内部に配置することも可能であるし、本体部７１から離間させた状態で配置することも可能である。
【００３４】
そして、本実施形態では、光源部７４として直管型ＬＥＤランプを用いている。このように、直管型ＬＥＤランプを光源部７４とすることで、光源部７４が長手方向を有することとなる。なお、光源部７４は、長手方向を有していればよく、直管型ＬＥＤランプに限定されるものではない。
【００３５】
反射板７３は、光源部７４からの光Ｌを反射させて、反射させた光Ｌを、本体部７１の外部に向けて照射させるものであり、本体部７１の内部に配置されている。
【００３６】
この反射板７３は、図３に示すように、水平方向に細長い長方形状の板を湾曲させた形状をしている。すなわち、反射板７３には、長手方向と直交する方向に凸となる湾曲部が形成されており、この湾曲部の凹面が反射面７３ａとなっている。この湾曲部は、長手方向と直交する断面形状が放物線等の曲線をなすように形成することができる。
【００３７】
本実施形態では、２つの直管型ＬＥＤランプを短手方向（前後方向）に並設させ、それぞれの直管型ＬＥＤランプの周囲に反射板７３が配置されている。
【００３８】
さらに、本実施形態では、直管型ＬＥＤランプ（光源部７４）の長手方向に延在し、下方に向けて突出するルーバー７９が設けられている。このルーバー７９を設けることで、光源部７４からの光Ｌを、より確実に主光軸方向に向けて照射させることができるようにしている。
【００３９】
さらに、本実施形態では、本体部７１に、光源部７４の長手方向と交差する方向に延在するルーバー７５が設けられており、このルーバー７５によって光源部７４からの光Ｌが長手方向に照射されるのを抑制されるようにしている。
【００４０】
このルーバー７５は、光源部７４の長手方向に沿って間隔を開けて複数設けられている。
【００４１】
ここで、本実施形態では、複数の照明装置（１つ以上の照明装置）７０を、長手方向を第１の壁部２３Ａの延在方向（一方向：図１の上下方向）に沿わせた状態で略一直線状に設置することで、一方向に延在する第１の照明装置部（照明装置部）５０を形成している（図１参照）。
【００４２】
そして、第１の照明装置部５０を構成する各照明装置７０のそれぞれには、複数のルーバー７５が設けられており、このルーバー７５によって第１の照明装置部側ルーバー部（ルーバー部）８０が形成されている（図８参照）。
【００４３】
ここで、第１の照明装置部側ルーバー部８０を構成する複数のルーバー７５のうち第２の壁部２３Ｂの壁面２３ａＢに最も近いルーバー７５が第１の照明装置部側最端ルーバー（最端ルーバー）８１となっている。
【００４４】
この第１の照明装置部側最端ルーバー８１は、第１の照明装置部５０における第２の壁部２３Ｂ側（第２の壁部２３Ｂに近い側）の端部５１に設けられている。このとき、第１の照明装置部５０を構成する照明装置７０のうち第２の壁部２３Ｂに最も近い照明装置７０の光源部７４の第２の壁部２３Ｂ側の端縁７４ａと略同位置、または、当該端縁７４ａより第２の壁部２３Ｂ側に、第１の照明装置部側最端ルーバー８１を形成するのが好ましい。なお、光源部７４の第２の壁部２３Ｂ側の端縁７４ａとは、光源部７４の光Ｌを照射する部位における第２の壁部２３Ｂ側の端縁のことである。
【００４５】
さらに、本実施形態では、下方への突出長さが異なる２種類以上のルーバー７５で第１の照明装置部側ルーバー部８０が構成されるようにしている。
【００４６】
すなわち、第１の照明装置部側ルーバー部８０を構成するルーバー７５は、突出長さがａのルーバー７５と、突出長さがａよりも長いｂとなるルーバー７５とを有している。
【００４７】
そして、突出長さｂのルーバー７５が、突出長さが最も長いルーバーとなっており、突出長さａのルーバー７５が、突出長さが最も短いルーバーとなっている。
【００４８】
ここで、本実施形態では、突出長さｂのルーバー７５を第１の照明装置部側最端ルーバー８１としている。
【００４９】
このように、本実施形態では、第１の照明装置部側最端ルーバー８１が、第１の照明装置部側ルーバー部８０を構成する複数のルーバーの中で、突出長さが最も長くなるようにしている。
【００５０】
さらに、本実施形態では、第１の照明装置部側ルーバー部８０は、突出長さがａとｂの間の長さとなる複数のルーバー７５を有している。そして、突出長さがａとｂの間の長さとなる複数のルーバー７５のそれぞれの突出長さを全て異ならせている。
【００５１】
そして、突出長さが異なる複数のルーバー７５を、第１の照明装置部側最端ルーバー８１から第２の壁部側とは反対側（図８の右側）に向かうにつれて突出長さが徐々に短くなるように配置している。
【００５２】
こうすることで、第１の照明装置部側ルーバー部８０の第２の壁部２３Ｂ側に、第１の照明装置部側最端ルーバー８１から第２の壁部２３Ｂ側とは反対側（図８の右側）に向かうにつれて突出長さが徐々に短くなる第１の照明装置部側漸減部８２が形成されるようにしている。
【００５３】
なお、第１の照明装置部側漸減部８２を構成する複数のルーバー７５は、突出長さを全て異ならせる必要はなく、一部に同一長さのルーバーを有していてもよい。すなわち、第１の照明装置部側最端ルーバー８１から第２の壁部２３Ｂ側とは反対側（図８の右側）に向かうにつれて突出長さが段階的に短くなるようにすることで、第１の照明装置部側漸減部８２を形成するようにしてもよい。
【００５４】
さらに、本実施形態では、図８に示すように、第１の照明装置部５０を構成する照明装置７０のうち第２の壁部２３Ｂ側の３つの照明装置７０に設けられるルーバー７５のピッチが、第２の壁部２３Ｂ側から数えて４つ目の照明装置７０に設けられるルーバー７５のピッチよりも狭くなるようにしている。
【００５５】
そして、第２の壁部２３Ｂ側の３つの照明装置７０のルーバー７５のピッチをほぼ同一のピッチとしている。
【００５６】
すなわち、第１の照明装置部側ルーバー部８０の中で第１の照明装置部側最端ルーバー８１と当該第１の照明装置部側最端ルーバー８１の隣に配置されるルーバー７５との間隔が最も狭くなるようにしている。
【００５７】
そして、第１の照明装置部側ルーバー部８０に、一方向で隣り合うルーバー７５の間隔が、第１の照明装置部側最端ルーバー８１と当該第１の照明装置部側最端ルーバー８１の隣に配置されるルーバー７５との間隔よりも大きくなる第１の照明装置部側広ピッチ部８３が形成されるようにしている（図７および図８参照）。本実施形態では、第２の壁部２３Ｂ側から数えて４つ目の照明装置７０に設けられるルーバー７５によって第１の照明装置部側広ピッチ部８３が形成されている。
【００５８】
なお、本実施形態では、第２の壁部２３Ｂ側の３つの照明装置７０のルーバー７５のピッチをほぼ同一のピッチとしているが、少なくとも一部のピッチを異ならせるようにしてもよい。
【００５９】
また、第１の照明装置部側ルーバー部８０の中で第１の照明装置部側最端ルーバー８１の反射率が最も小さくなるようにするのが好ましい。例えば、第１の照明装置部側ルーバー部８０を構成する複数のルーバー７５の色をグレーとし、第１の照明装置部側最端ルーバー８１の色の濃さを濃くすることで、反射率を小さくさせることができる。なお、他の方法で反射率を異ならせるようにすることも可能である。
【００６０】
このとき、第１の照明装置部側最端ルーバー８１から第２の壁部２３Ｂ側とは反対側（図８の右側）に向かうにつれて反射率が徐々に大きくなるようにすることも可能である。
【００６１】
また、図５に示すように、第１の照明装置部側最端ルーバー８１の先端８１ａの輪郭形状が波形となるようにしてもよい。このとき、第１の照明装置部側最端ルーバー８１の先端８１ａの輪郭形状を山型（三角波形状）とする必要はなく、他の波形状（例えば、正弦波状、矩形波状、鋸歯状）とすることも可能である。
【００６２】
そして、ルーバー７５を図８に示すように配置することで、少なくとも第２の壁部２３Ｂに最も近い照明装置７０においては、第２の壁部２３Ｂから遠い側（図８の右側）よりも第２の壁部２３Ｂに近い側（図８の左側）の方が、ルーバー７５によって光Ｌが抑制されることとなる。
【００６３】
さらに、本実施形態では、１つ以上の照明装置７０を、長手方向を第２の壁部２３Ｂの延在方向（交差方向：図１の左右方向）に沿わせた状態で略一直線状に設置することで、交差方向に延在する第２の照明装置部６０を形成している（図１参照）。
【００６４】
そして、第２の照明装置部６０を構成する各照明装置７０のそれぞれには、複数のルーバー７５が設けられており、このルーバー７５によって第２の照明装置部側ルーバー部（ルーバー部）９０が形成されている（図９参照）。
【００６５】
ここで、第２の照明装置部側ルーバー部９０を構成する複数のルーバー７５のうち第１の壁部２３Ａの壁面２３ａＡに最も近いルーバー７５が第２の照明装置部側最端ルーバー９１となっている。
【００６６】
この第２の照明装置部側最端ルーバー９１は、第２の照明装置部６０における第１の壁部２３Ａ側の端部６１に設けられている。このとき、第２の照明装置部６０を構成する照明装置７０のうち第１の壁部２３Ａに最も近い照明装置７０の光源部７４の第１の壁部２３Ａ側の端縁７４ａと略同位置、または、当該端縁７４ａより第１の壁部２３Ａ側に、第２の照明装置部側最端ルーバー９１を形成するのが好ましい。
【００６７】
さらに、本実施形態では、下方への突出長さが異なる２種類以上のルーバー７５で第２の照明装置部側ルーバー部９０が構成されるようにしている。
【００６８】
すなわち、第２の照明装置部側ルーバー部９０を構成するルーバー７５は、突出長さがａのルーバー７５と、突出長さがａよりも長いｂとなるルーバー７５とを有している。
【００６９】
そして、突出長さｂのルーバー７５が、突出長さが最も長いルーバーとなっており、突出長さａのルーバー７５が、突出長さが最も短いルーバーとなっている。
【００７０】
ここで、本実施形態では、突出長さｂのルーバー７５を第２の照明装置部側最端ルーバー９１としている。
【００７１】
このように、本実施形態では、第２の照明装置部側最端ルーバー９１が、第２の照明装置部側ルーバー部９０を構成する複数のルーバーの中で、突出長さが最も長くなるようにしている。
【００７２】
さらに、本実施形態では、第２の照明装置部側ルーバー部９０は、突出長さがａとｂの間の長さとなる複数のルーバー７５を有している。そして、突出長さがａとｂの間の長さとなる複数のルーバー７５のそれぞれの突出長さを全て異ならせている。
【００７３】
そして、突出長さが異なる複数のルーバー７５を、第２の照明装置部側最端ルーバー９１から第１の壁部２３Ａ側とは反対側（図９の左側）に向かうにつれて突出長さが徐々に短くなるように配置している。
【００７４】
こうすることで、第２の照明装置部側ルーバー部９０の第１の壁部２３Ａ側に、第２の照明装置部側最端ルーバー９１から第１の壁部２３Ａ側とは反対側（図９の左側）に向かうにつれて突出長さが徐々に短くなる第２の照明装置部側漸減部９２が形成されるようにしている。
【００７５】
なお、第２の照明装置部側漸減部９２を構成する複数のルーバー７５は、突出長さを全て異ならせる必要はなく、一部に同一長さのルーバーを有していてもよい。すなわち、第２の照明装置部側最端ルーバー９１から第１の壁部２３Ａ側とは反対側（図９の左側）に向かうにつれて突出長さが段階的に短くなるようにすることで、第２の照明装置部側漸減部９２を形成するようにしてもよい。
【００７６】
さらに、本実施形態では、図９に示すように、第２の照明装置部６０を構成する照明装置７０のうち第１の壁部２３Ａ側の照明装置７０に設けられるルーバー７５のピッチが、中央部の照明装置７０に設けられるルーバー７５のピッチよりも狭くなるようにしている。
【００７７】
そして、第１の壁部２３Ａ側の照明装置７０のルーバー７５のピッチをほぼ同一のピッチとしている。
【００７８】
すなわち、第２の照明装置部側ルーバー部９０の中で第２の照明装置部側最端ルーバー９１と当該第２の照明装置部側最端ルーバー９１の隣に配置されるルーバー７５との間隔が最も狭くなるようにしている。
【００７９】
そして、第２の照明装置部側ルーバー部９０に、交差方向で隣り合うルーバー７５の間隔が、第２の照明装置部側最端ルーバー９１と当該第２の照明装置部側最端ルーバー９１の隣に配置されるルーバー７５との間隔よりも大きくなる第２の照明装置部側広ピッチ部９３が形成されるようにしている（図７および図９参照）。本実施形態では、中央部の照明装置７０に設けられるルーバー７５によって第２の照明装置部側広ピッチ部９３が形成されている。
【００８０】
なお、本実施形態では、第１の壁部２３Ａ側の照明装置７０のルーバー７５のピッチをほぼ同一のピッチとしているが、少なくとも一部のピッチを異ならせるようにしてもよい。
【００８１】
また、第２の照明装置部側ルーバー部９０の中で第２の照明装置部側最端ルーバー９１の反射率が最も小さくなるようにするのが好ましい。例えば、第２の照明装置部側ルーバー部９０を構成する複数のルーバー７５の色をグレーとし、第２の照明装置部側最端ルーバー９１の色の濃さを濃くすることで、反射率を小さくさせることができる。なお、他の方法で反射率を異ならせるようにすることも可能である。
【００８２】
このとき、第２の照明装置部側最端ルーバー９１から第１の壁部２３Ａ側とは反対側（図９の左側）に向かうにつれて反射率が徐々に大きくなるようにすることも可能である。
【００８３】
また、図５に示すように、第２の照明装置部側最端ルーバー９１の先端９１ａの輪郭形状が波形となるようにしてもよい。このとき、第２の照明装置部側最端ルーバー９１の先端９１ａの輪郭形状を山型（三角波形状）とする必要はなく、他の波形状（例えば、正弦波状、矩形波状、鋸歯状）とすることも可能である。
【００８４】
そして、本実施形態では、３つの照明装置７０によって第２の照明装置部６０が構成されており、この第２の照明装置部６０に形成される第２の照明装置部側ルーバー部９０は、線対称となるように形成されている。
【００８５】
すなわち、３つの照明装置７０のうち最も側壁２４側に位置する照明装置７０にも、側壁２４側で突出量が大きく、側壁２４から離れるにつれて徐々に突出量が小さくなるルーバー７５が形成されている。
【００８６】
そして、ルーバー７５を図９に示すように配置することで、少なくとも第１の壁部２３Ａに最も近い照明装置７０においては、第１の壁部２３Ａから遠い側（図９の左側）よりも第１の壁部２３Ａに近い側（図９の右側）の方が、ルーバー７５によって光Ｌが抑制されることとなる。
【００８７】
なお、第２の照明装置部側ルーバー部９０を線対称となるように形成する必要はない。
【００８８】
また、本実施形態では、第１の照明装置部５０を構成する照明装置７０のうち第２の壁部２３Ｂ側の照明装置７０のみ例示したが、第２の壁部２３Ｂ側とは反対側の壁面に近い照明装置に、上記構成を適用することも可能である。さらに、第１の照明装置部５０の中央部には、第１の照明装置部側広ピッチ部８３よりもピッチ幅が大きくなるようにルーバー７５を設けてもよいし、ルーバー７５を設けていない照明装置７０を配置することも可能である。
【００８９】
また、第１の照明装置部側ルーバー部８０で用いられるルーバー７５の形状や配置位置（突出長さ、反射率、ピッチ幅等）と、第２の照明装置部側ルーバー部９０で用いられるルーバー７５の形状や配置位置（突出長さ、反射率、ピッチ幅等）とは、別個独立して適宜に設定することが可能である。例えば、各照明装置部を構成する照明装置の数に応じてルーバー７５の形状や配置位置（突出長さ、反射率、ピッチ幅等）を設定することが可能である。
【００９０】
以上説明したように、本実施形態にかかる照明装置の設置構造は、本体部７１と、本体部７１内に配置され、長手方向を有する光源部７４と、を備える照明装置７０を、長手方向を壁部２３の延在方向に沿わせた状態で設置するものである。
【００９１】
そして、壁部２３は、一方向に延在する第１の壁部２３Ａと、当該第１の壁部２３Ａに連設され、一方向と交差する交差方向に延在する第２の壁部２３Ｂと、を備えている。
【００９２】
また、１つ以上の照明装置７０を、長手方向を第１の壁部２３Ａの延在方向に沿わせた状態で設置することで、一方向に延在する照明装置部５０を形成している。
【００９３】
また、照明装置部５０には、一方向と交差する方向に延在して、照明装置部５０からの光Ｌが一方向に照射されるのを抑制するルーバー７５が形成されている。
【００９４】
そして、ルーバー７５は、照明装置部５０における第２の壁部２３Ｂ側の端部５１に設けられる第１の照明装置部側最端ルーバー（最端ルーバー）８１を有している。
【００９５】
これにより、第２の壁部２３Ｂに近い光源部７４からの光Ｌを遮断することができるため、光源部７４の近傍が強く照射されてしまうのが抑制されて、第２の壁部２３Ｂに照射ムラが生じてしまうのを抑制することができるようになる。
【００９６】
また、本実施形態にかかる照明装置７０は、照明装置の設置構造に用いられるものである。
【００９７】
したがって、本実施形態によれば、光Ｌをより均等に長手方向に照射させることのできる照明装置７０および照明装置の設置構造を得ることができる。
【００９８】
また、本実施形態では、照明装置部５０の一方向に沿って設けられる複数のルーバー７５で第１の照明装置部側ルーバー部（ルーバー部）８０を形成している。
【００９９】
このように、複数のルーバー７５で構成される第１の照明装置部側ルーバー部８０を設けることで、第２の壁部２３Ｂに照射ムラが生じてしまうのをより確実に抑制することができるようになる。
【０１００】
また、本実施形態では、第１の照明装置部側ルーバー部８０の中で第１の照明装置部側最端ルーバー８１の突出長さを最も長くしている。
【０１０１】
こうすれば、第２の壁部２３Ｂに近い光源部７４からの光Ｌをより確実に遮断することができ、第２の壁部２３Ｂに照射ムラが生じてしまうのをより確実に抑制することができるようになる。
【０１０２】
また、本実施形態では、第１の照明装置部側ルーバー部８０は、第１の照明装置部側最端ルーバー８１から第２の壁部２３Ｂ側とは反対側に向かうにつれて突出長さが徐々に短くなる第１の照明装置部側漸減部（漸減部）８２を有している。
【０１０３】
こうすれば、第２の壁部２３Ｂに近い光源部７４からの光Ｌをより確実に遮断することができる上、第２の壁部２３Ｂから若干離れた部位にある光源部７４からの光Ｌを遮断しすぎてしまうことが抑制され、第２の壁部２３Ｂをより均一に照射することができるようになる。
【０１０４】
また、本実施形態では、第１の照明装置部側ルーバー部８０の中で第１の照明装置部側最端ルーバー８１と当該第１の照明装置部側最端ルーバー８１の隣に配置されるルーバー７５との間隔が最も狭くなるようにしている。
【０１０５】
こうすれば、第２の壁部２３Ｂに近い光源部７４からの光Ｌをより確実に遮断することができ、第２の壁部２３Ｂに照射ムラが生じてしまうのをより確実に抑制することができるようになる。
【０１０６】
また、本実施形態では、第１の照明装置部側ルーバー部８０は、一方向で隣り合うルーバー７５の間隔が、第１の照明装置部側最端ルーバー８１と当該第１の照明装置部側最端ルーバー８１の隣に配置されるルーバー７５との間隔よりも大きくなる第１の照明装置部側広ピッチ部８３を有している。
【０１０７】
こうすれば、第２の壁部２３Ｂに近い光源部７４からの光Ｌをより確実に遮断することができる上、第２の壁部２３Ｂから若干離れた部位にある光源部７４からの光Ｌを遮断しすぎてしまうことが抑制され、第２の壁部２３Ｂをより均一に照射することができるようになる。
【０１０８】
また、本実施形態では、第１の照明装置部側ルーバー部８０の中で第１の照明装置部側最端ルーバー８１の反射率が最も小さくなるようにしている。
【０１０９】
こうすれば、第１の照明装置部側最端ルーバー８１で反射されて第２の壁部２３Ｂに照射される光Ｌの量を少なくすることができ、第２の壁部２３Ｂに照射ムラが生じてしまうのをより確実に抑制することができるようになる。
【０１１０】
また、第１の照明装置部側最端ルーバー８１の先端８１ａの輪郭形状を波形とすれば、第２の壁部２３Ｂに投影される第１の照明装置部側最端ルーバー８１の陰の境界をぼやかすことができ、第２の壁部２３Ｂに照射ムラが生じてしまうのをより確実に抑制することができるようになる。
【０１１１】
また、本実施形態では、１つ以上の照明装置７０を、長手方向を第２の壁部２３Ｂの延在方向に沿わせた状態で設置することで、交差方向に延在する第２の照明装置部６０を形成している。
【０１１２】
そして、第２の照明装置部６０には、交差方向と交差する方向に延在して、第２の照明装置部６０からの光Ｌが交差方向に照射されるのを抑制する第２の照明装置部側ルーバー７５が形成されている。
【０１１３】
そして、第２の照明装置部側ルーバー７５は、第２の照明装置部６０における第１の壁部２３Ａ側の端部６１に設けられる第２の照明装置部側最端ルーバー９１を有している。
【０１１４】
こうすれば、第２の壁部２３Ｂに照射ムラが生じてしまうのを抑制することができるようになる。
【０１１５】
ところで、コーナー部の壁面（第１の壁部２３Ａの壁面２３ａＡおよび第２の壁部２３Ｂの壁面２３ａＢ）に沿って、第１の照明装置部５０および第２の照明装置部６０を形成し、第１の照明装置部側最端ルーバー８１および第２の照明装置部側最端ルーバー９１を設けない場合、図１０（ａ）に示すように、コーナー部の壁面が強く照射されて照射ムラが生じてしまう。
【０１１６】
これに対して、本実施形態のように、第１の照明装置部側最端ルーバー８１および第２の照明装置部側最端ルーバー９１を設けるようにすれば、図１０（ｂ）に示すように、コーナー部の壁面（第１の壁部２３Ａの壁面２３ａＡおよび第２の壁部２３Ｂの壁面２３ａＢ）に照射ムラが生じてしまうのを抑制することができるようになる。
【０１１７】
また、本実施形態では、第２の照明装置部６０の交差方向に沿って設けられる複数のルーバー７５で第２の照明装置部側ルーバー部９０が形成されている。
【０１１８】
このように、複数のルーバー７５で構成される第２の照明装置部側ルーバー部９０を設けることで、第１の壁部２３Ａに照射ムラが生じてしまうのをより確実に抑制することができるようになる。
【０１１９】
また、本実施形態では、第２の照明装置部側ルーバー部９０の中で第２の照明装置部側最端ルーバー９１の突出長さが最も長くしている。
【０１２０】
こうすれば、第１の壁部２３Ａに近い光源部７４からの光Ｌをより確実に遮断することができ、第１の壁部２３Ａに照射ムラが生じてしまうのをより確実に抑制することができるようになる。
【０１２１】
また、本実施形態では、第２の照明装置部側ルーバー部９０は、第２の照明装置部側最端ルーバー９１から第１の壁部２３Ａ側とは反対側に向かうにつれて突出長さが徐々に短くなる第２の照明装置部側漸減部９２を有している。
【０１２２】
こうすれば、第１の壁部２３Ａに近い光源部７４からの光Ｌをより確実に遮断することができる上、第１の壁部２３Ａから若干離れた部位にある光源部７４からの光Ｌを遮断しすぎてしまうことが抑制され、第１の壁部２３Ａをより均一に照射することができるようになる。
【０１２３】
また、本実施形態では、第２の照明装置部側ルーバー部９０の中で第２の照明装置部側最端ルーバー９１と当該第２の照明装置部側最端ルーバー９１の隣に配置されるルーバー７５との間隔が最も狭くなるようにしている。
【０１２４】
こうすれば、第１の壁部２３Ａに近い光源部７４からの光Ｌをより確実に遮断することができ、第１の壁部２３Ａに照射ムラが生じてしまうのをより確実に抑制することができるようになる。
【０１２５】
また、本実施形態では、第２の照明装置部側ルーバー部９０は、交差方向で隣り合うルーバー７５の間隔が、第２の照明装置部側最端ルーバー９１と当該第２の照明装置部側最端ルーバー９１の隣に配置されるルーバー７５との間隔よりも大きくなる第２の照明装置部側広ピッチ部９３を有している。
【０１２６】
こうすれば、第１の壁部２３Ａに近い光源部７４からの光Ｌをより確実に遮断することができる上、第１の壁部２３Ａから若干離れた部位にある光源部７４からの光Ｌを遮断しすぎてしまうことが抑制され、第１の壁部２３Ａをより均一に照射することができるようになる。
【０１２７】
また、本実施形態では、第２の照明装置部側ルーバー部９０の中で第２の照明装置部側最端ルーバー９１の反射率が最も小さくなるようにしている。
【０１２８】
こうすれば、第２の照明装置部側最端ルーバー９１で反射されて第１の壁部２３Ａに照射される光Ｌの量を少なくすることができ、第１の壁部２３Ａに照射ムラが生じてしまうのをより確実に抑制することができるようになる。
【０１２９】
また、第２の照明装置部側最端ルーバー９１の先端９１ａの輪郭形状を波形とすれば、第１の壁部２３Ａに投影される第２の照明装置部側最端ルーバー９１の陰の境界をぼやかすことができ、第１の壁部２３Ａに照射ムラが生じてしまうのをより確実に抑制することができるようになる。
【０１３０】
以上、本開示の好適な実施形態について説明したが、上記実施形態には限定されず、種々の変形が可能である。
【０１３１】
例えば、上記実施形態では、照明装置として、博物館等の展示室１０に配置された展示ケース２０内に設置されるものを例示したが、これに限定されるものではない。例えば、美術館等において展示ケースが配置されていない展示室に照明装置を設置し、壁面に飾られた絵画等を直接的にまたは間接的に照らす照明装置に上記実施形態で示した構成を適用することも可能である。
【０１３２】
また、上記実施形態では、ＬＥＤを光源として用いたものを例示したが、半導体光源等を用いることも可能である。
【０１３３】
また、第１の照明装置部側最端ルーバーや第２の照明装置部側最端ルーバー以外のルーバーの先端の輪郭形状を波形とすることも可能である。
【０１３４】
また、上記実施形態では、複数の照明装置を直線上に配置することで第１の照明装置部５０や第２の照明装置部６０を形成したものを例示しているが、１つの照明装置で照明装置部を形成することも可能である。
【０１３５】
この場合、１つの照明装置に設けられるルーバーの形状や配置位置（突出長さ、反射率、ピッチ幅等）を適宜に設定すれば、上記実施形態で示した作用、効果を奏することができるようになる。
【０１３６】
例えば、長手方向が第１の壁部の延在方向に沿うように照明装置を設置した際に、第１の壁部に対して交差する交差方向に延在する第２の壁部に近い側に、当該照明装置が発する光の照射を抑制するルーバーを設けることが可能である。このとき、第２の壁部から遠い側よりも第２の壁部に近い側において、当該照明装置が照射する光がルーバーによって抑制されるようにすることも可能である。
【０１３７】
また、本体部や光源部、その他細部のスペック（形状、大きさ、レイアウト等）も適宜に変更可能である。
【符号の説明】
【０１３８】
５０  第１の照明装置部（照明装置部）
６０  第２の照明装置部
７０  照明装置
７１  本体部
７４  光源部
７５  ルーバー
８０  第１の照明装置部側ルーバー部（ルーバー部）
８１  第１の照明装置部側最端ルーバー（最端ルーバー）
８１ａ  先端
８２  第１の照明装置部側漸減部（漸減部）
８３  第１の照明装置部側広ピッチ部（広ピッチ部）
９０  第２の照明装置部側ルーバー部
９１  第２の照明装置部側最端ルーバー
９１ａ  先端
９２  第２の照明装置部側漸減部
９３  第２の照明装置部側広ピッチ部
【図１】
0006583822.tif 000002
【図２】
0006583822.tif 000003
【図３】
0006583822.tif 000004
【図４】
0006583822.tif 000005
【図５】
0006583822.tif 000006
【図６】
0006583822.tif 000007
【図７】
0006583822.tif 000008
【図８】
0006583822.tif 000009
【図９】
0006583822.tif 000010
【図１０】
0006583822.tif 000011